(57)【要約】【課題】  一定以上の強度を有するとともに、日本画に適した質感を有する絵画の支持体と、それを用いた装飾品を提供する。【解決手段】  絵絹と和紙を貼り合わせた積層シートを枠に展張し、文字や図画を描く。絵絹と和紙には礬水砂引きまたは耐水性有する塗料の塗布により、予め防水処理を施すことで、絵絹の和紙の貼り合わせや、枠への貼り付けに際し、皺やたるみの発生を抑制しできる。また、この装飾品は、叩くと太鼓のような音を発するが、絵絹と和紙を貼り合せることにより、可聴域の固有振動数を具備したためと解される。【選択図】図１
2017074769.tif 000002
【特許請求の範囲】
【請求項１】
少なくとも１枚の絵絹と、少なくとも１枚の和紙を一体に貼り合わせた積層シートを、多角形または環状の形状を有する枠の、片面または両面に展張してなることを特徴とする、装飾品または発音体。
【請求項２】
前記積層シートの絵絹側または和紙側の、少なくともいずれか一方に、文字または図画の少なくともいずれか一方が描かれてなることを特徴とする、請求項１に記載の装飾品または発音体。
【請求項３】
前記積層シートの絵絹側または和紙側の、少なくともいずれか一方に、礬水引きまたは防水処理の少なくともいずれか一方が施されてなることを特徴とする、請求項１または請求項２に記載の装飾品または発音体。
【請求項４】
前記文字または図画は、
８０〜９０重量％の粉末繊維素と、
１０〜２０重量％のメチルセルロースと増粘多糖類から選ばれる少なくとも１種とを含むバインダーと、
前記バインダー１００重量部に対して、１８００〜２６００重量部の水と、１〜２５重量部の染料または顔料の少なくともいずれかと、１００〜１５０重量部の安息香酸ナトリウムと、０．５〜６重量部のホウ酸とを添加してなる絵具であって、前記粉末繊維素はセルロースを含み、前記増粘多糖類はキサンタンガムを含み、前記絵具はチキソトロピー性を発現し、せん断速度が１０（１／ｓ）未満の領域では、粘性係数が４５（Ｐａ／ｓ）以上であり、せん断速度が１０（１／ｓ）以上の領域では、粘性係数が３５（Ｐａ／ｓ）以下である絵具を用いて描かれてなることを特徴する、請求項２または請求項３のいずれかに記載の装飾品または発音体。
【発明の詳細な説明】
【技術分野】
【０００１】  本発明は、木材などの枠に展張したシートに、文字や図画を描いた装飾品に関するもので、特にシートを叩くと太鼓のような音が生じるものに関する。
【背景技術】
【０００２】  日本画は、絵絹と称される、薄地の平織りの絹織物や和紙に描かれ、掛け軸として鑑賞に供されることが多い。また油彩の支持体として普及しているキャンバスのように、木材の枠に展張した絵絹も用いられている。【０００３】  一方で、本発明者は、特許文献１及び特許文献２において、展色剤の成分調整により、高粘性を有しながら、支持体への塗布が容易な絵具と、それを用いて得られる絵図と造形物を開示している。そして、本発明者は、前記絵具の用途展開の検討途上で、発明品の絵具が、レリーフ状の造形を形成するのに適していることから、絵具を塗布する支持体としては、一定以上の抗張力や剛性を有することが望ましいことに想到した。【０００４】  つまり、日本画風の作品の制作には、従来支持体として用いられている、絵絹や和紙は前述の要求には必ずしも十分には対応できないことが明らかになった。このような観点から先行技術を概観すると、特許文献３には和紙または絵絹に裏打材を接合したインクジェット印刷用紙が開示されている。【０００５】  しかし、ここに開示されているのは、あくまでもインクジェット印刷用紙であって、裏打材が接合されているため、絵絹や和紙のような風合を発現することは困難である。
【特許文献】
【０００６】
【特許文献１】  特許第５５７８４５６号公報
【特許文献２】  特許第５６４８９４４号公報
【特許文献３】  特開２００６−０２６９７１号公報
【発明の概要】
【発明が解決しようとする課題】
【０００７】  本発明は、係る課題を解決し、一定以上の強度を有するとともに、日本画に適した質感を有する絵画の支持体と、それを用いた装飾品を提供することにある。
【課題を解決するための手段】
【０００８】  本発明者は、前記課題の解決のため、種々の素材を鋭意検討した結果、絵絹と和紙を貼り合わせた積層シートに想到し、その貼り合わせの方法を検討した結果、本発明をなしたものである。また、そのシートは、意外にも木材の枠に展張した状態で叩くと、太鼓のような音を生じるという、予想しない機能を発現することが判明した。【０００９】  即ち、本発明は、少なくとも１枚の絵絹と少なくとも１枚の和紙を一体に貼り合わせた積層シートを、多角形または環状の形状を有する枠の、片面または両面に展張してなることを特徴とする、装飾品または発音体である。【００１０】  また、本発明は、前記積層シートの絵絹側または和紙側の、少なくともいずれか一方に、文字または図画の少なくともいずれか一方が描かれてなることを特徴とする、前記の装飾品または発音体である。【００１１】  また、本発明は、前記積層シートの絵絹側または和紙側の、少なくともいずれか一方に、礬水引きまたは防水処理の少なくともいずれか一方が、施されてなることを特徴とする、請求項１または請求項２に記載の装飾品または発音体である。【００１２】  また、本発明は、前記文字または図画が、８０〜９０重量％の粉末繊維素と、１０〜２０重量％のメチルセルロースと増粘多糖類から選ばれる少なくとも１種とを含むバインダーと、前記バインダー１００重量部に対して、１８００〜２６００重量部の水と、１〜２５重量部の染料または顔料の少なくともいずれかと、１００〜１５０重量部の安息香酸ナトリウムと、０．５〜６重量部のホウ酸とを添加してなる絵具であって、前記粉末繊維素はセルロースを含み、前記増粘多糖類はキサンタンガムを含み、前記絵具はチキソトロピー性を発現し、せん断速度が１０（１／ｓ）未満の領域では、粘性係数が４５（Ｐａ／ｓ）以上であり、せん断速度が１０（１／ｓ）以上の領域では、粘性係数が３５（Ｐａ／ｓ）以下である絵具を用いて描かれてなることを特徴する、前記の装飾品または発音体である。
【発明の効果】
【００１３】  本発明の装飾品は、一定の抗張力を発現し得るように、絵絹と和紙を貼り合わせた積層シートを枠に展張した支持体を用いているので、高粘性の絵具により、表面にレリーフ状の造形物を形成しても、皺などの不具合が生じないという特長を有する。そして、一般的に、弦や面状の物体は、一定以上の剛性を備えるか、一定以上の張力を付与した状態でないと、弾いたり叩いたりしても、可聴域の音を発生することはないと考えられるが、本発明に係る絵絹と和紙を貼り合わせた積層シートは、枠に展張することにより、このような条件に適合したと解される。【００１４】  積層シートの抗張力、機械的強度は、当然のことながら、積層する絵絹と和紙の枚数で調整可能で、大面積の装飾品を得るには、絵絹及び和紙をそれぞれ複数枚積層することが必要な場合もある。そのような積層シートを得るには、複数の絵絹のみ、また複数の和紙のみを積層してから、貼り合わせることが可能で、交互に複数の絵絹と和紙を積層した構造でも使用可能で、適宜選択できる。【００１５】  また、積層シートは、枠の片面に展張するだけでも発音体として機能するが、両面に展張すると、片面だけの場合とは、明らかに音質が異なる。これは、一方の積層シートの振動による、他方の積層シートの共振に起因することは勿論である。また、積層シートを枠の両面に展張すると、それぞれの積層シートの表面に、別個の文字や図画を描くことができるのも論を俟たない。【００１６】  さらに、積層枚数が少ない場合における、本発明に係る積層シートは、油彩のキャンバスに比較すると、光をかなりの程度で透過するので、枠の両面に積層シートを展張したものでは、積層シートの間にＬＥＤのような小型の光源を配することで、照明装置として使用することが可能である。また明かり障子としての使用も可能である。
【図面の簡単な説明】
【００１７】
【図１】  本発明に装飾品の制作工程の、絵を描いた絵絹と和紙を貼り合わせた積層シートを枠に貼り付ける状態の一例を示す図。
【発明を実施するための形態】
【００１８】  次に具体的な図に基づいて、本発明の実施の形態について説明する。
【００１９】  図１は、本発明に装飾品の制作工程の、絵を描いた絵絹と和紙を貼り合わせた積層シートを枠に貼り付ける状態の一例を示す図である。図１において、１は積層シート、２は枠である。
【００２０】  絵絹には、平織の縦糸の種類により、二丁樋、二丁樋重目、三丁樋などの種類があるが、本発明において、絵絹の種類は、特に限定されない。また紙には、通常の紙と和紙があり、本発明者の検討結果では、どちらも使用可能であるが、発音の状態と風合いの点で、和紙を用いるのが望ましい。一般的に和紙の方が紙を構成する繊維が長いので、これが発音の状態に影響を及ぼしていると解される。
【００２１】  絵絹と和紙の貼り合わせは、絵絹を枠２に展張する前に行ってもよいが、皺の発生防止など作業性を考慮すると、絵絹を枠２に展張してから行うのが望ましい。従って、絵絹を枠に展張した後、和紙を貼り付けることになるが、和紙を貼りつける際に用いる接着材により、絵絹に皺などが発生することがあるので、絵絹には防水処理を施すことが望ましい。枠に絵絹を貼り付ける際にも、接着材が絵絹を膨潤させて皺を生じることがあるので、この防水処理は、その意味でも有効である。
【００２２】  また、絵絹には湯引きと称される皺伸ばし作業が必要であり、防水処理を湯引きの後に行うことが望ましい。防水処理には、絵を描く際の滲みを防ぐための礬水引きや、耐水性を有する合成高分子の塗料の塗布が適している。塗料としては、具体的には、アクリル系塗料や、木工用接着材として使用される、ポリ酢酸ビニルのエマルションなどが挙げられる。ただし、これらに限定されるものではなく、エマルションの他に、有機溶媒を用いたものも使用可能である。
【００２３】  また、絵絹を枠に貼り付ける際に用いる接着材も、水溶性の糊を用いると、和紙の貼り付けに用いる接着の影響で、絵絹の剥離などが生じることがあるので、糊のような耐水性に乏しいものは使用しないことが望ましい。ただし、絵絹に対して前記のような防水処理を施した場合は、接着材が絵絹の裏側まで浸透することが極めて少ないので、この限りではない。また、和紙にも礬水引きや、耐水性塗料塗布による防水処理を施すことで、文字や絵を描く際の絵具の滲みを防ぐことができ、絵絹への貼り付けの際の、接着材による和紙の膨潤による皺の発生などを抑制できる。
【００２４】  そして、前述の事項を踏まえ、基本的な制作工程としては、まず枠２の４辺に、耐水性を備えた接着材を塗布して絵絹を貼り付ける。接着材が十分に乾燥固化した後、絵絹の表面全体に接着剤を塗布して、和紙を貼り付け、積層シートを構成する。
【００２５】  和紙に文字や図画を描くのは、和紙を絵絹に貼りつける前でも、貼り付けた後でも、可能であり、絵絹側に描くことも可能である。このようにして制作した絵画、つまり装飾品は、桴などで叩くと太鼓のような音を発するので、単なる装飾用として壁に掛けておく他、例えば店舗などの適当な場所に配することで、来訪した客が店員を呼び出したい時に、これを叩くような用途が想定される。また、前述のように、照明装置や明かり障子にも適用可能である。
【００２６】  以上に説明したように、本発明によれば、叩くと太鼓のような音を発する装飾品を提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】  １・・・積層シート      ２・・・枠
【図１】
2017074769.tif 000003